(57)【要約】【課題】可搬型充電給電装置の意匠性を向上させるとともに、長時間にわたって電力を供給（給電）可能な構成とする。【解決手段】可搬型充電給電装置１０は、充電式バッテリ２０と、該充電式バッテリ２０を収容可能な収容室１８が形成された充電給電ユニット１２とを有する。充電給電ユニット１２の左方側面３４、右方側面３６には、例えば、磁力を介して左カバーパネル７２ａ、右カバーパネル７４ａ等の物品が装着可能である。又は、例えば、左方側面３４に入力端子（給電用差込口６８）、右方側面３６に供給端子（進入プラグ７０）を設け、給電用差込口６８を別の可搬型充電給電装置１０の進入プラグ７０に差し込む一方、進入プラグ７０をまた別の可搬型充電給電装置１０の給電用差込口６８に差し込むようにしてもよい。【選択図】図１０
2019068552.tif 000002
【特許請求の範囲】
【請求項１】
充電式バッテリと、
前記充電式バッテリを収容可能な収容室が形成されるとともに、前記収容室の内部に設けられて前記充電式バッテリに電気的に接続される充電端子と、前記収容室の外部に設けられて外部機器に対して電力を供給する出力端子とを有する充電給電ユニットと、
を備え、
前記充電給電ユニットは、底面から折曲されて連なる複数個の側面を有し、
前記複数個の側面中の少なくとも１個が、物品が着脱可能に装着される装着面であることを特徴とする可搬型充電給電装置。
【請求項２】
請求項１記載の装置において、前記物品が前記装着面を覆うカバーパネルであることを特徴とする可搬型充電給電装置。
【請求項３】
請求項１記載の装置において、前記物品が、物体を収容可能な容器であることを特徴とする可搬型充電給電装置。
【請求項４】
請求項３記載の装置において、前記物品である容器が、前記物体として前記充電式バッテリを収容可能なものであることを特徴とする可搬型充電給電装置。
【請求項５】
請求項１記載の装置において、前記複数個の側面中の少なくとも２個が前記装着面であり、且つ前記物品が第２の充電給電ユニット及び第３の充電給電ユニットであり、
前記装着面中の１個に、前記第２の充電給電ユニットから電力が供給される入力端子が設けられる一方、もう１個に、前記第３の充電給電ユニットに電力を供給する供給端子が設けられていることを特徴とする可搬型充電給電装置。
【請求項６】
請求項１〜５のいずれか１項に記載の装置において、前記充電給電ユニットに折り畳み可能又は伸縮可能なハンドルが設けられていることを特徴とする可搬型充電給電装置。
【請求項７】
請求項１〜６のいずれか１項に記載の装置において、前記充電給電ユニットに車輪が設けられていることを特徴とする可搬型充電給電装置。
【発明の詳細な説明】
【技術分野】
【０００１】
本発明は、任意の場所から他の場所への持ち運びが容易な可搬型充電給電装置に関する。
【背景技術】
【０００２】
屋外で使用可能な電源として、様々な可搬（ポータブル）型電源装置が知られている。例えば、特許文献１には、内蔵したインバータによってバッテリの直流電圧を交流電圧に変換するものが知られている。この電源装置は充電端子を有し、自動車の車載バッテリ等の外部バッテリを充電したり、逆に外部バッテリから内部バッテリを充電したりすることが可能である。また、特許文献２には、商用電源から充電可能な内部バッテリを有し、該内部バッテリから外部機器に電力を供給する電源装置が開示されている。
【０００３】
さらに、特許文献３には、外部機器に電力を供給する出力端子が設けられた給電ユニットケースに対して充電式バッテリが着脱可能に構成された電源が記載されている。充電式バッテリには、運搬用の把持部が設けられる。
【先行技術文献】
【特許文献】
【０００４】
【特許文献１】特開平２−２９０１３２号公報
【特許文献２】特開２０１４−３８４６号公報
【特許文献３】特開２０１４−１１６１０９号公報
【発明の概要】
【発明が解決しようとする課題】
【０００５】
従来技術に係る可搬型電源装置の外観は一義的に設定されており、例えば、ユーザの嗜好に応じた外観に変更することができない。すなわち、意匠性に乏しい。
【０００６】
加えて、例えば、発展途上国では、停電が高頻度で発生し、しかも、１回の停電が数時間にわたって継続する場合がある。可搬式電源は、このような停電が起こったときに有用であるが、電力を供給し得る時間は限られており、冷蔵庫や炊飯器、テレビ等の日常生活機器を安心して継続使用することは容易ではない。
【０００７】
本発明は上記した問題を解決するためになされたもので、意匠性に優れ、しかも、可及的長時間にわたって電力を供給（給電）可能することも可能な可搬型充電給電装置を提供することを目的とする。
【課題を解決するための手段】
【０００８】
前記の目的を達成するために、本発明に係る可搬型充電給電装置は、
充電式バッテリと、
前記充電式バッテリを収容可能な収容室が形成されるとともに、前記収容室の内部に設けられて前記充電式バッテリに電気的に接続される充電端子と、前記収容室の外部に設けられて外部機器に対して電力を供給する出力端子とを有する充電給電ユニットと、
を備え、
前記充電給電ユニットは、底面から折曲されて連なる複数個の側面を有し、
前記複数個の側面中の少なくとも１個が、物品が着脱可能に装着される装着面であることを特徴とする。
【０００９】
すなわち、本発明においては、少なくとも１個の側面に装着する物品を様々なものに交換することが可能である。このため、ユーザの嗜好に応じた物品に交換することにより、意匠性が向上する。又は、容器等に交換することにより、利便性に優れたものとなる。
【００１０】
物品の好適な一例としては、装着面を覆うカバーパネルが挙げられる。この場合、装着面が隠れるので意匠性が向上する。また、ユーザの嗜好に応じたカバーパネルに交換することにより、意匠性がさらに優れたものとなる。
【００１１】
物品の他の好適な一例としては、物体を収容可能な容器が挙げられる。この場合、容器には、電力を供給する外部機器やその付随物を収容すればよい。これにより、紛失を防ぐことができるとともに、充電給電装置に同伴して外部機器ないしその付随物を搬送することができる。
【００１２】
容器は、充電式バッテリを収容可能なものであることが好ましい。容器に予備の充電式バッテリを保管しておくことにより、使用中の充電式バッテリの容量が所定値よりも低下したとき（放電が終了したとき）に新たな充電式バッテリに即座に交換することができる。すなわち、給電を維持することができる。
【００１３】
複数個の側面中の少なくとも２個を装着面とし、各装着面に第２の充電給電ユニット及び第３の充電給電ユニットを電気的に接続するようにしてもよい。このためには、装着面中の１個に、第２の充電給電ユニットから電力が供給される入力端子を設け、もう１個に、第３の充電給電ユニットに電力を供給する供給端子を設ければよい。これにより、３個の充電給電装置の各充電式バッテリを順次切り替えて、又は、例えば、並列接続した状態で使用することができる。このため、充電式バッテリを取り替えることなく給電を継続することができる。従って、長時間にわたる停電が頻繁に起こるような地域であっても、電化製品を安心して使用することができる。
【００１４】
充電給電ユニットには、折り畳み可能又は伸縮可能なハンドルを設けるとよい。ユーザが該ハンドルを把持することにより、充電給電装置を容易に移動させることができるようになるからである。また、折り畳み可能又は伸縮可能とすることで、充電給電装置の使用時にハンドルが周囲の物体に干渉することを回避することができる。このため、例えば、狭小なスペースであっても充電給電装置を使用することが可能となる。
【００１５】
さらに、充電給電ユニットに車輪を設けることが好ましい。これにより、充電給電装置を搬送することが一層容易となる。
【発明の効果】
【００１６】
本発明によれば、充電給電装置を構成する充電給電ユニットの少なくとも１個の側面を、様々な物品が取り外し可能に装着される装着面としている。この装着面には、ユーザの嗜好に応じたカバーパネルや、利便性を高める容器等を交換可能に装着することができる。このため、意匠性が向上するとともに使い勝手に優れたものとなる。
【図面の簡単な説明】
【００１７】
【図１】本発明の実施の形態に係る可搬型充電給電装置を構成する充電給電ユニットの意匠面からの全体概略斜視図である。
【図２】図１に示す充電給電ユニットの背面からの全体概略斜視図である。
【図３】図１からハンドルを引き起こして把持可能状態としたときの充電給電ユニットの意匠面からの全体概略斜視図である。
【図４】充電給電ユニットの左方側面から左カバーパネルを取り外したときの概略分解斜視図である。
【図５】充電給電ユニットの右方側面から右カバーパネルを取り外したときの概略分解斜視図である。
【図６】充電給電ユニットの右方側面を示す概略側面図である。
【図７】充電給電ユニットの左カバーパネルを別のものに交換したときの概略斜視図である。
【図８】充電給電ユニットの左カバーパネルをまた別のものに交換したときの概略斜視図である。
【図９】充電給電ユニットの左カバーパネル及び右カバーパネルを左方用容器、右方用容器に交換するときの概略分解斜視図である。
【図１０】３個の充電給電装置を連結するときの概略斜視及び概略正面図である。
【図１１】３個の充電給電装置を連結した状態を示す概略正面図である。
【発明を実施するための形態】
【００１８】
以下、本発明に係る可搬型充電給電装置につき好適な実施の形態を挙げ、添付の図面を参照して詳細に説明する。
【００１９】
図１は、本実施の形態に係る可搬型充電給電装置１０を構成する充電給電ユニット１２の意匠面１４（ユーザが主に視認する面）からの全体概略斜視図であり、図２は、意匠面１４の裏面である背面１６からの全体概略斜視図である。この可搬型充電給電装置１０は、充電給電ユニット１２の他、該充電給電ユニット１２に形成された収容室１８に取り出し可能に収容される充電式バッテリ２０を備える。
【００２０】
充電式バッテリ２０は、縦長の略直方体形状であり、その上端部には、略Ｈ字形状の把持部２２（図１参照）が設けられる。ユーザは、把持部２２を把持して充電式バッテリ２０を収容室１８に対して出し入れしたり、搬送したりすることが可能である。充電式バッテリ２０も下端部には、収容室１８内に設けられた充電プラグが差し込まれるプラグ差込口（いずれも図示せず）が形成される。
【００２１】
充電給電ユニット１２は、底面３０と、該底面３０に折曲されて連なる複数個（本実施の形態では４個）の側面とを有し、収容室１８を閉塞するトップカバー３２を含めて略直方体形状をなすが、隅部は面取りされたような湾曲形状をなし、充電式バッテリ２０を収容するケーシングとして機能する。以下、ユーザが主に視認する意匠面１４の裏面を背面１６、ユーザが意匠面１４を視認したときに左方となる側面を左方側面３４、右方となる側面を右方側面３６と指称する。また、意匠面１４から背面１６（又はその逆）に向かう方向を奥行き、左方側面３４から右方側面３６（又はその逆）に向かう方向を幅、底面３０からトップカバー３２（又はその逆）に向かう方向を高さと表す。
【００２２】
充電給電ユニット１２の底面３０には、２個の接地用突起４０ａ、４０ｂが地面に向かうように突出形成されている。さらに、図２に示すように、底面３０、背面１６、左方側面３４及び右方側面３６の一部を切り欠くような形状の取付凹部４２ａ、４２ｂが形成され、各取付凹部４２ａ、４２ｂには、厚みが取付凹部４２ａ、４２ｂの幅よりも小さな車輪４４ａ、４４ｂが設けられる。充電給電ユニット１２は、車輪４４ａ、４４ｂの一部と接地用突起４０ａ、４０ｂが地面に接することで起立姿勢を保つことが可能な、いわゆる自立式ケーシングである。
【００２３】
背面１６には、さらに、後方側に向かって突出した２個のポッチ部４６ａ、４６ｂが設けられる。充電給電ユニット１２を起立姿勢としたとき、これらのポッチ部４６ａ、４６ｂには、例えば、コードやケーブル等を巻回することができる。また、充電給電ユニット１２を、背面１６が地面に臨む横臥姿勢としたとき、ポッチ部４６ａ、４６ｂが地面に接する脚となる。
【００２４】
ポッチ部４６ａ、４６ｂ同士の間には、幅方向に向かって延在するとともに意匠面１４側に向かって陥没したグリップ凹部４８が形成される。グリップ凹部４８の内部上面は、グリップ凹部４８の開口上部よりもトップカバー３２に向かって陥没している。すなわち、グリップ凹部４８の内部上方には、トップカバー３２に向かう若干のクリアランスが形成されている。ユーザは、このクリアランスに指を差し入れることで、起立姿勢となっている充電給電ユニット１２を持ち上げることが可能である。
【００２５】
図１に示すように、意匠面１４には、ＵＳＢケーブルが接続可能なＵＳＢ端子５０（給電端子）と、商用電源プラグを接続可能なコンセント５２（給電端子）が設けられる。ＵＳＢ端子５０やコンセント５２を２個以上設けるようにしてもよい。また、意匠面１４とトップカバー３２の境界近傍には、充電式バッテリ２０の残容量を段階的に示すインジケータ５４が配設される。
【００２６】
図３に示すように、意匠面１４と左方側面３４、意匠面１４と右方側面３６との間には段部５６が形成されている。この段部５６には、略Ｕ字形状をなすハンドル５８が納められる。ハンドル５８の先端は第１回動軸（図示せず）を介して背面１６近傍に連結されており、従って、該ハンドル５８は回動することが可能である。以下、図１に示すようにハンドル５８が段部５６に納められた状態を折り畳み状態、図３に示すように引き起こされた状態を把持可能状態という。
【００２７】
左方側面３４には、図４に示すように進入凸部６０と被進入凹部６２がそれぞれ複数個形成される。進入凸部６０には永久磁石が埋設されており、一方、被進入凹部６２の底部には強磁性体（例えば、鉄）からなる磁着盤が保持されている。この左方側面３４には、複数個の段付ネジ穴６４が形成されるとともに、該段付ネジ穴６４のネジ部に取付ネジ６６が螺合される。さらに、背面１６及び車輪４４ａ、４４ｂの近傍に、入力端子としての給電用差込口６８が形成されている。
【００２８】
右方側面３６にも同様に、図５に示すように永久磁石が埋設された進入凸部６０と、底部に鉄等の強磁性体からなる磁着盤を保持した被進入凹部６２とがそれぞれ複数個形成される。右方側面３６にも複数個の段付ネジ穴６４が形成され、そのネジ部に取付ネジ６６が螺合される。さらに、背面１６及び車輪４４ａ、４４ｂの近傍に、供給端子としての進入プラグ７０が設けられる。進入プラグ７０は回動可能に保持されており、回動によって全体が収納孔に収納される。
【００２９】
左方側面３４及び右方側面３６には、通常、左カバーパネル７２ａ、右カバーパネル７４ａがそれぞれ装着される。これら左カバーパネル７２ａにおける左方側面３４を臨む内面、右カバーパネル７４ａにおける右方側面３６を臨む内面には、進入凸部６０が進入する受用凹部７６ａと、被進入凹部６２に進入する磁着凸部７８ａがそれぞれ設けられる。受用凹部７６ａの底部には、強磁性体（例えば、鉄）からなる磁着盤が保持され、一方、磁着凸部７８ａには永久磁石が埋設されている。従って、左カバーパネル７２ａ、右カバーパネル７４ａは、進入凸部６０の永久磁石が受用凹部７６ａの磁着盤に磁着し、且つ磁着凸部７８ａの永久磁石が被進入凹部６２の磁着盤に磁着することで、左方側面３４、右方側面３６のそれぞれに着脱可能に保持される。なお、永久磁石及び磁着盤はいずれも図示していない。
【００３０】
右方側面３６には、図６に示すように、ＡＣアダプタコードの雄コネクタが差し込まれる雌コネクタ８０が設けられる。このＡＣアダプタコードにより、収容室１８内の充電プラグとコンセント５２が電気的に接続されて充電式バッテリ２０が充電可能となる。前記ポッチ部４６ａ、４６ｂには、このＡＣアダプタコードを巻回すればよい。
【００３１】
図１及び図６に示すように、トップカバー３２は、背面１６近傍に設けられた第２回動軸（図示せず）を介して回動可能である。トップカバー３２が回動することに伴い、収容室１８が開放又は閉塞される。トップカバー３２が回動されて収容室１８が開放されたとき、充電式バッテリ２０を収容室１８から取り出すことが可能となる。
【００３２】
以上の構成において、収容室１８内には、プラグ差込口に進入する充電プラグ（いずれも図示せず）が設けられる。前記ＡＣアダプタコード及び充電プラグからプラグ差込口内の端子に外部電力を入力することにより、充電式バッテリ２０に対する充電がなされる。
【００３３】
図６から諒解されるように、収容室１８は、高さ方向に対して傾斜するように延在する。すなわち、充電給電ユニット１２が起立姿勢であるとき、充電式バッテリ２０は傾斜姿勢である。このように収容室１８が傾斜しているので、該収容室底面が鉛直方向に対して傾斜している。さらに、収容室底面の最深に位置する角部から充電給電ユニット１２の底面３０にかけて排出路８２が形成される。従って、収容室１８内に雨水等が浸入したとしても、該雨水は前記排出路８２から速やかに排出される。
【００３４】
本実施の形態に係る可搬型充電給電装置１０は、基本的には以上のように構成されるものであり、次にその作用効果について説明する。
【００３５】
可搬型充電給電装置１０を移動させたいときには、ユーザは、第１回動軸を回動中心としてハンドル５８を引き起こし、把持可能状態とする。その後、ユーザは、ハンドル５８を把持するとともに充電給電ユニット１２を地面に対して若干傾斜させることで、接地用突起４０ａ、４０ｂを地面から離間させ、車輪４４ａ、４４ｂのみが地面に設置した状態とする。その後にユーザがハンドル５８を把持しながら歩行すれば、車輪４４ａ、４４ｂが回転することで充電給電ユニット１２が容易に移動する。
【００３６】
可搬型充電給電装置１０の移動が終了した後、ユーザは、第１回動軸を中心にハンドル５８を回動させ、折り畳み状態とすればよい。これにより、可搬型充電給電装置１０がコンパクトなものとなる。すなわち、ハンドル５８が何らかの物体に干渉することが回避される。
【００３７】
このように、充電給電ユニット１２に車輪４４ａ、４４ｂ及びハンドル５８を設けたことにより、可搬型充電給電装置１０を容易に移動させることができる。しかも、ハンドル５８が折り畳み可能であるので、移動後にハンドル５８が邪魔となることもない。加えて、折り畳み状態にあるハンドル５８は、意匠面１４を保護する保護部材ともなる。
【００３８】
充電給電ユニット１２の向きを変更する場合、ユーザがハンドル５８を把持して充電給電ユニット１２を回転させるようにしてもよいが、このためには、ユーザが腕を上げた後に捻る必要があるので、負荷が比較的大きい。また、周囲に何らかの物体があるような場所では、ハンドル５８を把持可能状態とすることが困難となることもある。そこで、ユーザは、グリップ凹部４８内の前記クリアランスに指を差し入れ、手首を捻るようにすればよい。この場合、充電給電ユニット１２の回転中心がユーザの身体に近接するのでユーザの負荷が小さくなるとともに、ハンドル５８が周囲の物体に干渉することがないので充電給電ユニット１２を回転させることが容易であるという利点がある。
【００３９】
可搬型充電給電装置１０は、底面３０に設けられた接地用突起４０ａ、４０ｂを接地させて起立姿勢として使用することもできるし、背面１６に設けられたポッチ部４６ａ、４６ｂを接地させて横臥姿勢として使用することもできる。このように、可搬型充電給電装置１０は、ユーザの所望の使用場所にて、該使用場所の設置スペースに応じた姿勢で用いることが可能である。
【００４０】
給電を開始するには、ＵＳＢ端子５０又はコンセント５２に外部機器を電気的に接続すればよい。この場合、外部機器をＵＳＢ端子５０に接続するにはＵＳＢケーブルを用い、コンセント５２に接続するには商用電源プラグを用いればよい。
【００４１】
可搬型充電給電装置１０は、左方側面３４及び右方側面３６が露呈した状態で使用することが可能であるが、左方側面３４、右方側面３６の各々に左カバーパネル７２ａ、右カバーパネル７４ａを装着することが好ましい。具体的には、進入凸部６０の永久磁石を左カバーパネル７２ａ、右カバーパネル７４ａの受用凹部７６ａの磁着盤に磁着し、且つ磁着凸部７８ａの永久磁石を被進入凹部６２の磁着盤に磁着すればよい。これにより、可搬型充電給電装置１０の意匠性が向上する。
【００４２】
なお、取付ネジ６６の頭部は、段付ネジ穴６４の、内径が大きな開口部近傍に収まる。すなわち、取付ネジ６６の頭部が突出して左カバーパネル７２ａ、右カバーパネル７４ａの各内面に干渉することはない。
【００４３】
ここで、充電給電ユニット１２の左方側面３４及び右方側面３６に対する左カバーパネル７２ａ及び右カバーパネル７４ａの装着は、上記したように磁力を介してなされている。このため、左カバーパネル７２ａ、右カバーパネル７４ａを着脱することが容易である。従って、図７及び図８に示すように、ユーザの嗜好に応じた模様や色彩の左カバーパネル７２ｂ、７２ｃ、右カバーパネル７４ｂ、７４ｃ等に自由に変更することができる。このため、意匠性が一層優れたものとなる。
【００４４】
又は、左方側面３４ないし右方側面３６の少なくともいずれか一方に、図９に示す左方用容器９０、右方用容器９２を装着することもできる。この場合、左方用容器９０の左方側面３４（外面）及び右方側面３６（内面）の双方に、進入凸部６０が進入する受用凹部７６ｂと、被進入凹部６２に進入する磁着凸部７８ｂがそれぞれ設けられる。さらに、内面にはネジ挿通孔９４が形成される。一方の右方用容器９２にも、左方側面３４（内面）及び右方側面３６（外面）の双方に、進入凸部６０が進入する受用凹部７６ｂと、被進入凹部６２に進入する磁着凸部７８ｂが設けられるとともに、内面にネジ挿通孔９４が形成される。
【００４５】
この場合、先ず、左方側面３４及び右方側面３６の段付ネジ穴６４から取付ネジ６６が取り外される。その後、左方用容器９０の受用凹部７６ｂの磁着盤に進入凸部６０の永久磁石を磁着し、且つ磁着凸部７８ｂの永久磁石を被進入凹部６２の磁着盤に磁着する。さらに、左方用容器９０の内面のネジ挿通孔９４に取付ネジ６６のネジ部を通した後、該ネジ部を左方側面３４の段付ネジ穴６４に螺合する。これにより、左方用容器９０が磁力及び取付ネジ６６を介して左方側面３４に堅牢に連結される。このため、予備充電式バッテリ２０等の重量物を左方用容器９０に収容したときであっても、該左方用容器９０が左方側面３４から脱落することが防止される。
【００４６】
同様に、右方用容器９２の受用凹部７６ｂの磁着盤に進入凸部６０の永久磁石を磁着し、且つ磁着凸部７８ｂの永久磁石を被進入凹部６２の磁着盤に磁着する。さらに、右方用容器９２の内面のネジ挿通孔９４に取付ネジ６６のネジ部を通した後、該ネジ部を右方側面３６の段付ネジ穴６４に螺合する。これにより、右方用容器９２が磁力及び取付ネジ６６を介して右方側面３６に堅牢に連結される。従って、上記と同様に、右方用容器９２に予備充電式バッテリ２０等の重量物を収容したときであっても、該右方用容器９２が右方側面３６から脱落することが防止される。
【００４７】
左方側面３４及び右方側面３６の各外面が露呈した状態で使用することも可能であるが、左方側面３４、右方側面３６の各々に左カバーパネル７２ａ、右カバーパネル７４ａを装着するようにしてもよい。この場合、左方側面３４及び右方側面３６の外面における磁着凸部７８ｂの永久磁石を左カバーパネル７２ａ、右カバーパネル７４ａの受用凹部７６ａの磁着盤に磁着し、且つ磁着凸部７８ａの永久磁石を受用凹部７６ｂの磁着盤に磁着すればよい。これにより、左方用容器９０及び右方用容器９２を含めた可搬型充電給電装置１０の意匠性が向上する。
【００４８】
左方用容器９０及び右方用容器９２には、予備充電式バッテリ２０を保管することが好適である。充電給電ユニット１２内の充電式バッテリ２０の放電が終了した後に新たな充電式バッテリ２０に迅速に交換することができるからである。収容室１８内の充電式バッテリ２０を予備充電式バッテリ２０に交換するときには、第２回動軸を中心にトップカバー３２を回動させ、収容室１８を開放状態とすればよい。その後、ユーザが把持部２２を把持して持ち上げれば、充電式バッテリ２０が収容室１８から取り出される。
【００４９】
なお、容器に予備充電式バッテリ２０以外の任意の物品を保管するようにしてもよいことは勿論である。
【００５０】
さらに、複数個の可搬型充電給電装置１０同士を隣接させ且つ互いを電気的に接続することもできる。以下、３個の場合を例示するとともに、可搬型充電給電装置１０の区別の便宜を図るべく、図１０及び図１１の左方、中央、右方に示される充電給電ユニット１２の各々を第１充電給電ユニット１２ａ、第２充電給電ユニット１２ｂ、第３充電給電ユニット１２ｃと表記する。
【００５１】
この場合、第１充電給電ユニット１２ａの右方側面３６、第２充電給電ユニット１２ｂの両側面３４、３６、第３充電給電ユニット１２ｃの左方側面３４のそれぞれを露呈状態とする。そして、第１充電給電ユニット１２ａ、第２充電給電ユニット１２ｂのそれぞれの進入プラグ７０を、回動によって右方側面３６から突出した状態とする。
【００５２】
さらに、第１充電給電ユニット１２ａの進入プラグ７０を第２充電給電ユニット１２ｂの差込口に差し込むとともに、第２充電給電ユニット１２ｂの進入プラグ７０を第３充電給電ユニット１２ｃの差込口に差し込む。この際、第１充電給電ユニット１２ａの右方側面３６の進入凸部６０、被進入凹部６２が第２充電給電ユニット１２ｂの左方側面３４の被進入凹部６２、進入凸部６０に係合し、且つ第２充電給電ユニット１２ｂの右方側面３６の進入凸部６０、被進入凹部６２が第３充電給電ユニット１２ｃの左方側面３４の被進入凹部６２、進入凸部６０に係合する。これにより、図１１に示すように第１充電給電ユニット１２ａ〜第３充電給電ユニット１２ｃが並列に連なる。また、第１充電給電ユニット１２ａ〜第３充電給電ユニット１２ｃに対し、各々の収容室１８内に収容された充電式バッテリ２０から電力を取り出すことが可能となる。
【００５３】
すなわち、電力は、例えば、第１充電給電ユニット１２ａ〜第３充電給電ユニット１２ｃ内の充電式バッテリ２０から順次取り出される。従って、第３充電給電ユニット１２ｃのコンセント５２に外部機器の商用電源プラグを差し込むと、外部機器に対し、第３充電給電ユニット１２ｃ内の充電式バッテリ２０から電力が供給される。この充電式バッテリ２０の放電が終了すると、電力供給元が第２充電給電ユニット１２ｂ内の充電式バッテリ２０に即座に切り替わり、さらに、この充電式バッテリ２０の放電が終了した後は、電力供給元が第１充電給電ユニット１２ａ内の充電式バッテリ２０に即座に切り替わる。なお、この切替は一例であり、第１充電給電ユニット１２ａ、第２充電給電ユニット１２ｂ、第３充電給電ユニット１２ｃ内の充電式バッテリ２０の順に切り換わるようにしてもよい。
【００５４】
又は、第１充電給電ユニット１２ａ、第２充電給電ユニット１２ｂ、第３充電給電ユニット１２ｃ内の充電式バッテリ２０を並列接続にするようにしてもよい。この場合、３個の充電式バッテリ２０から得られる電圧が、充電式バッテリ２０を１個のみ用いる場合の電圧と同等となる。このため、外部機器に対する負荷電圧が過度に大きくなることが回避されるからである。
【００５５】
いずれの場合においても、３個の充電式バッテリ２０から電力を取り出すことが可能である。このため、長時間にわたる電力需要に対応することができる。すなわち、例えば、長時間の停電が高頻度で起こる地域において、安心して使用することができる。
【００５６】
充電式バッテリ２０の放電が終了した後は、右方側面３６に設けられた雌コネクタ８０に、ＡＣアダプタコードを介して外部電力を入力すればよい。これにより、充電プラグを介して充電式バッテリ２０に充電がなされる。なお、充電式バッテリ２０に充電しながら、ＵＳＢ端子５０又はコンセント５２に接続された外部機器に電力を供給することも可能である。
【００５７】
本発明は、上記した実施の形態に特に限定されるものではなく、本発明の主旨を逸脱しない範囲で種々の変更が可能である。
【００５８】
例えば、図１１における第１充電給電ユニット１２ａの左方側面３４に予備充電式バッテリ２０を収容した左方用容器９０を装着するとともに、第３充電給電ユニット１２ｃの右方側面３６に予備充電式バッテリ２０を収容した右方用容器９２を装着するようにしてもよい。
【００５９】
また、折り畳み式のハンドル５８に代替し、伸縮可能なハンドルを設けるようにしてもよい。
【符号の説明】
【００６０】
１０…可搬型充電給電装置        １２、１２ａ〜１２ｃ…充電給電ユニット
１４…意匠面                    １６…背面
１８…収容室                    ２０…充電式バッテリ
３０…底面                      ３２…トップカバー
３４…左方側面                  ３６…右方側面
４４ａ、４４ｂ…車輪            ５０…ＵＳＢ端子
５２…コンセント                ５８…ハンドル
６０…進入凸部                  ６２…被進入凹部
６４…段付ネジ穴                ６６…取付ネジ
６８…給電用差込口              ７０…進入プラグ
７２ａ〜７２ｃ…左カバーパネル  ７４ａ〜７４ｃ…右カバーパネル
７６ａ、７６ｂ…受用凹部        ７８ａ、７８ｂ…磁着凸部
８０…雌コネクタ                ８２…排出路
９０…左方用容器                ９２…右方用容器
９４…ネジ挿通孔
【図１】
2019068552.tif 000003
【図２】
2019068552.tif 000004
【図３】
2019068552.tif 000005
【図４】
2019068552.tif 000006
【図５】
2019068552.tif 000007
【図６】
2019068552.tif 000008
【図７】
2019068552.tif 000009
【図８】
2019068552.tif 000010
【図９】
2019068552.tif 000011
【図１０】
2019068552.tif 000012
【図１１】
2019068552.tif 000013